(57)【要約】      （修正有）【課題】透明パネル内部を側方から照射する光で発光させる構造において、照射光を効率良く前面に反射させ、曲線でも容易に加工できる透明パネル発光構造を提供する。【解決手段】透明パネル発光構造として、透明な板体からなるパネル１０と、パネル１０内部に光軸がパネル１０の板面に略平行となる光を照射するランプ２０と、パネル１０の一方の板面のランプ２０により光が照射される位置に形成される、互いに略平行な２以上の溝であって、各溝の深さがランプ２０に対して遠いものほど深く形成される溝からなる発光部３０とより構成する。【選択図】図３
0003201599.tif 000002
【実用新案登録請求の範囲】
【請求項１】
透明な板体からなるパネルと、
前記パネル内部に光軸が前記前記パネルの板面に略平行となる光を照射するランプと、
前記パネルの一方の板面の前記ランプにより光が照射される位置に形成される、互いに略平行な２以上の溝であって、各溝の深さが前記ランプに対して遠いものほど深く形成される溝からなる発光部と
を有する透明パネル発光構造。
【請求項２】
前記発光部は前記パネルの端縁近傍に形成されるともに、前記ランプは前記発光部よりも前記パネルの中心側に設けられ、
前記パネルの前記発光部が近接する端縁に、反射面がパネル中心側に面する反射板が設けられる請求項１に記載の透明パネル発光構造。
【考案の詳細な説明】
【技術分野】
【０００１】
本考案は、透明なパネル内部にパネルの板面に平行な光を照射することで、該透明なパネルを発光させる構造に関する。
【背景技術】
【０００２】
広告用や掲示用の透明なパネルを発光させることで目立たせる場合、ＬＥＤなどの光源が表面から見えると、光源部分のみが目立ってしまうため、光源はパネル枠内などに見えないように収め、光源はパネルの板面に平行な方向に光を照射するようにすることで間接的に透明パネル内を発光させることが行われている。
例えば、下記特許文献１には、縁部に設けたＬＥＤテープにより側方から透明パネル内を照らすとともに、パネル裏面に複数の溝を形成することで、照射される光を乱反射させて透明パネルの発光量を大きくすることが示されている。
また、下記特許文献２には、パネル端縁近傍に設けた溝内にＬＥＤテープを内側を向くように配置し、端縁下端側を４５度にカットすることでパネル外周を発光させるとともに、背面に溝を形成した反射板を配置することで、照射される光を乱反射させて透明パネルの発光量を大きくすることが示されている。
【先行技術文献】
【特許文献】
【０００３】
【特許文献１】特開２０１５−３２４６１号公報
【特許文献２】特開２０１１−９５４３９号公報
【考案の概要】
【考案が解決しようとする課題】
【０００４】
しかしながら、パネル裏面の溝や反射板で側方から照射される光を反射させる場合、照射方向と反射面が直交するので、照射される光の多くが無駄になるという問題がある。端縁下端側を４５度にカットする場合は、カット面に照射光が向かうので照射される光の多くを反射することができるが、４５度にカットする場合、縁部が複雑な曲線の場合、カットすることが容易ではないという問題がある。
本考案はこのような問題に鑑みて、透明パネル内部を側方から照射する光で発光させる構造において、照射光を効率良く前面に反射させ、曲線でも容易に加工できるようにすることを課題とする。
【課題を解決するための手段】
【０００５】
上記課題を解決するために、本考案は、次のような構成を有する。
請求項１に記載の考案は、透明な板体からなるパネルと、前記パネル内部に光軸が前記前記パネルの板面に略平行となる光を照射するランプと、前記パネルの一方の板面の前記ランプにより光が照射される位置に形成される、互いに略平行な２以上の溝であって、各溝の深さが前記ランプに対して遠いものほど深く形成される溝からなる発光部とを有する透明パネル発光構造である。
請求項２に記載の考案は、前記透明パネル発光構造として、前記発光部は前記パネルの端縁近傍に形成されるとともに、前記ランプは前記発光部よりも前記パネルの中心側に設けられ、前記パネルの前記発光部が近接する端縁に、反射面がパネル中心側に面する反射板が設けられるものである。
【考案の効果】
【０００６】
以上のような構成により、本考案は、次のような効果を奏する。
請求項１に記載の考案は、２以上の深さの異なる溝に対して側方から光を照射することで、各溝を光らせるので、照射光を比較的効率的に前方に反射させることができ、また、光源から奥の溝ほど深くすることで各溝に照射される光を分散することができるので、各溝の発光度合いを均等に近づけることができる。そして、溝は比較的簡単に曲線状に形成できるので、発光部分を曲線に加工することも容易に行うことができる。
請求項２に記載の考案は、発光部をパネルの端縁近傍に形成し、中心側から光を照射することでパネルの外周を装飾することができ、パネルの端縁に反射板を設けることで反射板からの光も各溝を照らすので、各溝の発光度合いをより高めることができる。
【図面の簡単な説明】
【０００７】
【図１】実施形態に係る透明発光パネルの正面図である。
【図２】実施形態に係る透明発光パネルの背面図である。
【図３】（ａ）は図２の一点鎖線部分の拡大図であり、（ｂ）は（ａ）のＡ−Ａ線拡大断面図図である。
【図４】（ａ）は変形例に係る透明発光パネルの正面図であり、（ｂ）は変形例に係る透明発光パネルの端部近傍の拡大部分縦断面図である。
【考案を実施するための形態】
【０００８】
以下、本考案の実施の形態について、図面を参照しながら説明する。
図１に本実施形態に係る透明発光パネルＸの正面図を示し、図２に透明発光パネルＸの背面図を示す。透明発光パネルＸは、パネル１０、ランプ２０、発光部３０を有する。
パネル１０は透明なアクリル板からなる外縁が複雑な曲線により形成された板体である。パネル１０の表面には文字や模様からなる装飾印刷１１がプリントされている。パネル１０の裏面には発光部３０を構成する溝と、これの内側に略平行に形成されるランプ２０を収容するランプ収納溝１２とが設けられる。
発光部３０は前述したパネル１０裏面に形成される溝により構成される。図３（ａ）に図２の一点鎖線部分の拡大図を示し、図３（ｂ）に図２のＡ−Ａ線拡大断面図を示す。発光部３０は、裏面からみてパネル１０の外縁に沿った互いに平行な３本の溝から構成される。図３（ｂ）に示すように各溝は、パネル１０の外縁に近いものほど深くなるように形成されている。また、溝はレーザー加工により形成されるものであり、このため溝の底面は平らではなく、先端が鋭角な微細な溝が一以上形成される。
ランプ２０は薄いテープにチップ型ＬＥＤが一定間隔で配置されたいわゆるＬＥＤテープにより構成される。ランプ２０は、前述したパネル１０裏面のランプ収納溝１２内に発光面がパネル１０の外縁側を向くように収容される。これによりランプ２０は発光部３０を構成する溝を側面から照射することとなる。
【０００９】
次に、以上のような構成を有する透明発光パネルＸの使用方法及び作用効果について説明する。透明発光パネルＸは裏面を壁面などに面するようにして固定し、ランプ２０に通電して発光させる。ランプ２０は発光部３０を構成する溝に向かって側面から光を照射する。発光部３０の光に一番近い溝は、照射された光の一部により発光し、照射された光の一部を透過させる。真ん中にある二番目の溝は、一番目の溝より深い部分は直接ランプ２０からの照射光を受け、それ以外の部分は一番目の溝を透過した光を受ける。二番目の溝は、これらの光の一部により発光し、光の一部を透過させる。パネル１０端縁側の三番目の溝は、二番目の溝より深い部分は直接ランプ２０からの照射光を受け、それ以外の部分は二番目の溝を透過した光を受ける。三番目の溝も、これらの光の一部により発光し、光の一部を透過させる。なお、各溝の底面は鋭角な微細な溝が形成されているのでこの部分が最も光を散乱させて発光する。
このように、発光部３０をランプ２０から照射することでランプ２０の光は発光部３０を構成する溝を側方から照らすこととなり、各溝はランプ２０から離れるほど深く形成されているので、すべての溝を直接発光部３０により照らすことができ、溝の深さを適宜調節することで各溝の発光度合いをより均等にすることが可能である。そして、発光部３０は溝により形成されるので、レーザー加工により簡易に複雑な曲線に形成することが可能なので、より多様なデザインを実現することができる。
【００１０】
なお、上記実施形態ではパネル１０の形状を複雑な外縁を有するものとしたが、単純な長方形等の形状とした場合、外縁に断面Ｌ字状の反射板を設けることができる。図４（ａ）に変形例に係る透明発光パネルＹの正面図を示し、図４（ｂ）に透明発光パネルＹの端縁近傍の拡大縦断面図を示す。上記実施形態における図３（ｂ）のパネル１０の端縁は開放されているのに対して、透明発光パネルＹにおける図４（ｂ）のパネル１０の端縁には反射板４０が設けられている。反射板４０は内面が鏡面仕上げされたアルミ製のＬアングルである。このようにパネル１０の端縁に反射板を設けることで、発光部３０の溝を透過した光が反射板４０に反射して再び各溝を照らすので、発光部３０の発光度合いを高めることができる。また、上記実施形態に係る透明発光パネルＸではパネル１０は複雑な外縁を有するのでＬアングルからなる反射板を設けることは難しいが、パネル１０の端縁に鏡面仕上げされたアルミテープを貼り、パネル１０の裏面の端縁近傍に鏡面仕上げされたアルミ板を貼ることで透明発光パネルＹと同等の反射板を設けることは可能である。
また、上記実施形態では、パネル１０のランプ２０の固定をランプ収納溝１２によって行っているが、溝ではなく底を貫通させて、パネル１０を内側と外側に分断する細い穴としてもよい。この場合、パネル１０が内側と外側で分断されるので、内側のパネルと外側のパネルを金具、シートなどで連結するようにすることが望ましい。
さらに、上記実施形態では表面側からランプ２０がパネル１０を透かして見えるが、ランプ２０部分を覆うようにパネル１０の表面に図柄をプリントしたり、枠を設けたりしてもよい。
それから、上記実施形態では発光部３０はパネルの縁部に形成しているが、発光部３０をパネルの中心側に設けてもよい。さらに、縁部と中心側の両方に設けることもできる。この場合、ランプ２０を構成するＬＥＤテープを２本用いて互いに逆側を向くように配置すればよい。
そして、上記実施形態では発光部３０の溝の開口をパネル１０の裏面としているが、溝の開口をパネル１０の表面しても同様の効果を得ることができる。
【符号の説明】
【００１１】
Ｘ、Ｙ  透明発光パネル
１０  パネル
２０  ランプ
３０  発光部
４０  反射板
【図１】
0003201599.tif 000003
【図２】
0003201599.tif 000004
【図３】
0003201599.tif 000005
【図４】
0003201599.tif 000006